【手続補正書】
【提出日】平成19年12月20日(2007.12.20)
【手続補正１】
【補正対象書類名】特許請求の範囲
【補正対象項目名】全文
【補正方法】変更
【補正の内容】
【特許請求の範囲】
【請求項１】
精製圧縮ガスを生成する方法において、
a)  ガス供給原料を圧縮して圧縮ガス供給原料を生成し、
b)  上記圧縮ガス供給原料を、圧縮ガスを通過させて不純物を取り除くための複数の通路を有するタイプで、少なくとも１つの回転式吸着装置の第１の再生セクターに送り、前記回転式吸着装置が上記圧縮ガスから不純物を吸着する能力を有しており、さらにその回転式吸着装置が回転すると連続的に再生される能力を有しているものであり、
c)  上記圧縮ガス供給原料を、上記回転式吸着装置の再生セクターを通過させて、不純物を取り除き、不純物を含む圧縮ガスの汚染されたストリームをつくりだし、
d)  上記圧縮ガスの汚染されたストリームを冷却して、凝縮装置内で圧縮ガスの上記汚染されたストリームから凝縮可能な不純物を凝縮し、上記凝縮装置から一定量の凝縮された不純物を取り除いて、その凝縮装置から圧縮ガスの冷却されたストリームをつくりだし、
e)  上記圧縮ガスの冷却されたストリームを上記回転式吸着装置の吸着セクターを通過させて、その内部で、さらに一定量の不純物を上記圧縮ガスから取り除いて、精製された圧縮ガス生成物をつくりだし、そして
上記精製された圧縮ガス生成物が、上に述べたタイプの少なくとも２つの回転式吸着装置を用いてつくりだされ、上記圧縮ガス供給原料が第１の回転式吸着装置の吸着セクターを通過し、上記精製された圧縮ガス生成物が第２の回転式吸着装置の吸着セクターに送られて、その内部で、上記第２の回転式吸着装置の吸着セクターが残りの凝縮可能な不純物の大部分を除去して、最終的な生成物ガスストリームをつくりだし、その最終的生成物ガスストリームの小部分を循環ストリームに分流させると共に、その循環ストリームの少なくとも一部を第２の回転式吸着装置の再生セクターを通過させることを特徴とする精製圧縮ガスを生成する方法。
【請求項２】
上記循環ストリームを、第２の回転式吸着装置の再生セクターに送る前に少なくとも２つの画分に分けて、上記の画分のうち第１のものを加熱した後、上記第２の回転式吸着装置の再生セクターを通じて循環ストリームの上記一部として送り、その画分のうちの第２のものを冷却して第２の回転式吸着装置の冷却セクターに送り、上記第２の回転式吸着装置のセクターのうちの少なくとも１つを通過させた後、少なくとも１つの画分の少なくとも一部を第１の回転式吸着装置の吸着セクターに送られる上記圧縮ガス供給原料又は圧縮ガスの冷却されたストリームに再導入することを特徴とする請求項１記載の方法。
【請求項３】
上記第１及び第２の画分の少なくとも一部が再導入前に混合ストリーム内に合流され、上記混合ストリームの少なくとも一部が上記少なくとも２つの回転式吸着装置のうちの第１のものの冷却セクターを通じて送られることを特徴とする請求項２記載の方法。
【請求項４】
上記圧縮ガスの汚染されたストリームの流出ガスが、冷却前に上記圧縮ガス供給原料と熱交換されることを特徴とする請求項１〜３のいずれか１項に記載の方法。
【請求項５】
上記精製された圧縮ガス生成物の体積で３〜１５％に相当する小部分が、上記回転式吸着装置に送られて冷却セクターを冷却することを特徴とする請求項１記載の方法。
【請求項６】
冷却された圧縮精製ガスの小部分あるいは少なくとも１つの回転式吸着装置のうちの第１のものの冷却セクターからの混合ストリームが、加圧されて、圧縮ガス供給原料が回転式吸着装置の再生セクターに送られる前に、この圧縮ガス供給原料と混合されることを特徴とする請求項３又は５記載の方法。
【請求項７】
上記ガス供給原料が空気か炭化水素であり、上記不純物が、水、塩酸、フッ化炭素、及びヒイドロフルオロカーボンで構成される群から選択される請求項１〜６のいずれか１項に記載の方法。
【請求項８】
上記ガスがエチレン及び天然ガスで構成される群から選択される請求項１〜６のいずれか１項に記載の方法。
【請求項９】
各回転式吸着装置内で、再生セクターを通じてのガス流が吸着セクターを通じてのガス流に対して向流であり、すべての冷却セクターを通じて流れるガス流が吸着セクターを通じてのガス流と並流であることを特徴とする請求項１〜７のいずれか１項に記載の方法。
【請求項１０】
上記ガス供給原料が空気からなり、上記方法が、
空気をコンプレッサーに送って、圧縮ガス供給原料としての加熱、圧縮された空気のストリームをつくりだし、上記再生セクター内で水分を除去して、上記圧縮ガスの汚染されたストリームとしての冷却された、湿った圧縮空気のストリームをつくりだし、上記圧縮ガスの冷却された、湿った空気のストリームを第１の熱交換器を通過させて凝縮装置に送り込み、水分を凝縮不純物として除去し、上記圧縮ガスの冷却されたストリームとして圧縮空気のより冷たいストリームをつくりだし、上記圧縮空気のより冷たいストリームを前記回転式吸着装置の吸着セクターに送って水分を吸着し、精製された圧縮ガス生成物としての乾燥された圧縮空気生成物ストリームをつくりだし、そして、上記乾燥された圧縮空気生成物ストリームガスを第２の熱交換器内で望ましい温度に冷却し、上記第２の熱交換器からの冷却された乾燥圧縮空気の小部分を上記回転式吸着装置の冷却セクターに送ることによって、
乾燥した圧縮空気をつくりだすことを特徴とする請求項１〜７のいずれか１項に記載の方法。
【請求項１１】
請求項１〜３のいずれか１項による方法において、上記回転式吸着装置の吸着セクターがガス流を連続的に通過させるための１〜Ｎで示されるＮ個の吸着ゾーンを有しており、Ｎは２〜１０の整数であり、各吸着ゾーンが１つの吸着ゾーン取入れ口と１つの吸着ゾーン取出し口を有しており、回転式吸着装置の上記再生セクターが１〜Ｍで示されるＭ個の再生ゾーンを有しており、Ｍは２〜１０の整数であり、そして各再生ゾーンが１つの再生ゾーン取入れ口と１つの再生ゾーン取出し口を有しており、
さらにオプションとして、上記回転式吸着装置が、ガス流を連続的に通過させるための１〜Ｐで示されるＰ個の冷却ゾーンを有する冷却セクターを有しており、Ｐは１〜５の整数であり、そして、各冷却ゾーンが１つの冷却ゾーン取入れ口と１つの冷却ゾーン取出し口を有しており、
上記回転式吸着装置が上記吸着、再生、そしてオプションとしての冷却ゾーンの各取入れ口及び取出し口に対して、すべての吸着ゾーン、そしてすべての再生ゾーンそして、冷却ゾーンが存在している場合はその冷却ゾーンを通じて、さらに吸着ゾーン１に戻るように回転して、吸着、再生、及びオプションとしての冷却の連続サイクルを実現することを特徴とする方法。
【請求項１２】
少なくとも１つの吸着セクターと、少なくとも１つの再生セクター及び少なくとも１つの冷却セクターを含んでいる吸着剤ホイールシステムにおいて、上記吸着剤ホイールシステムが１つ以上の吸着剤ホイールを含んでおり、それら吸着剤ホイールのそれぞれが２つの平らで、上記吸着剤ホイールの直径に平行な側面及び上記吸着剤ホイールの回転軸に平行な連続周縁を有しており、処理される圧縮ガスのフローが先ず上記再生セクターを通じて送られ、その後、圧縮ガスのフローが凝縮装置を通過させられてそのガス内の不純物を凝縮、除去し、上記冷却セクターに送られて上記吸着剤ホイールを冷却し、さらに上記吸着セクターに送られてそのガスストリームから少なくとも１つの不純物を除去し、そして、上記システムが少なくとも２つの吸着剤ホイールを有していて、低水分ガスストリームを生成するための２段階乾燥装置を備えており、さらに上記システムが、
a)  複数の通路を有する第１及び第２の回転式接触装置を備えている第１及び第２の吸着剤ホイールであって、それを通じて圧縮ガスが流れ、そのガスストリームから不純物としての水分を吸着すると同時にそのホイールが回転すると連続的に再生される第１及び第２の吸着剤ホイールと、
b)  上記２つの回転式接触装置のうちの第１のものの再生セクターへの水分を含んだガスの圧縮フローを受け入れるための少なくとも１つの取入れ口と、
c)  水分を含んだガスの圧縮フローを上記再生セクターから凝縮装置に送り、そこで、凝縮された水を不純物として取り除き、乾燥したガスフローをつくりだす手段と、
d)  上記ガスの乾燥されたフローを上記第１の回転式接触装置の吸着ゾーンを通じて送るための第１の通路と、
e)  上記第１の回転式接触装置の吸着ゾーンからの上記ガスの乾燥されたフローを、乾燥ガス生成物ストリームを生成するための上記第２の回転式接触装置の吸着ゾーンを通じて送るための第２の通路と、
f)  生成物として用いるために上記非常に乾燥したガスストリームの過半数部分を回収するための取出し口と、
g)  上記非常に乾燥したガスストリームの第１の小部分を加熱器を通じて送りその非常に乾燥したガスストリームを加熱し、さらにその加熱された第１の小部分を上記第２の回転式接触装置の再生ゾーンに送るための第３の通路と、そして
h)  上記非常に乾燥したガスストリームの第２の小部分をその第２の小部分を冷却するための冷却器に送り、さらにその冷却された第２の小部分を上記第２の回転式接触装置の冷却ゾーンに送るための第４の通路と
を含んでいることを特徴とする吸着剤ホイールシステム。
【請求項１３】
第５の通路が、圧力ブースターを通じて、上記第１及び第２の小部分のうちの少なくとも１つを送り、そして上記水分含有ガス内に送ることを特徴とする請求項１２記載の吸着剤ホイールシステム。